(57)【要約】【課題】  冬季に車のウィンドウが凍結し、前方の視界を確保したくても、出てくるウォッシャー液に温度むらが生じていると、操作者の意思通りになかなか着氷を溶解できないため、ウォッシャー液の温度むらをなくすことができるウィンドウウォッシャー液加熱装置を提供する。【解決手段】  成形部材で作成された加熱容器と、この加熱容器内に回転可能に配置された加熱板と、電磁誘導を用いて加熱板を加熱する加熱装置と、をウィンドウウォッシャー液加熱装置が備える。【選択図】図２
2013116657.tif 000002
【特許請求の範囲】
【請求項１】
ウィンドウウォッシャー液を通過させる、成形部材で作成された容器と、
前記容器内に回転可能に配置された加熱板と、
電磁誘導を用いて前記加熱板を加熱する加熱装置と、
を備えたことを特徴とするウィンドウウォッシャー液加熱装置。
【請求項２】
前記加熱板は、回転軸となる突起部と、前記突起部を受ける軸受により、回転可能となっており、
前記突起部は、前記加熱板もしくは前記容器の何れか一方に設けられ、他方に前記軸受が設けられていることを特徴とする請求項１に記載のウィンドウウォッシャー液加熱装置。
【請求項３】
前記加熱板の外周には、Ｎ極とＳ極が交互に磁化された磁極板が設けられていることを特徴とする請求項１に記載のウィンドウウォッシャー液加熱装置。
【請求項４】
前記加熱板は、前記加熱装置による電磁誘導によって発熱する導磁性の強い材料からなり、前記磁極板は、磁化された残留磁気の強い材料からなることを特徴とする請求項３に記載のウィンドウウォッシャー液加熱装置。
【請求項５】
交番の電磁気を発生させ、前記磁極板に電磁誘導による推力を与え、前記加熱板を回転させる回転制御装置を備えていることを特徴とする請求項３に記載のウィンドウウォッシャー液加熱装置。
【請求項６】
前記加熱板の側面には、撹拌促進手段が形成されていることを特徴とする請求項１に記載のウィンドウウォッシャー液加熱装置。
【発明の詳細な説明】
【技術分野】
【０００１】
本発明は、車両のフロントガラスやリアガラスに使用するウィンドウウォッシャー液を加熱するための加熱装置に関するものであり、特に、水密性の高いウィンドウウォッシャー液加熱装置に関するものである。
【背景技術】
【０００２】
現在、車両のフロントガラスやリアガラスの着氷を溶解するためにウィンドウウォッシャー液をその流路内にシーズヒーターを埋め込んで温める装置が知られている。例えば、下記特許文献１（特開２０１０？１８４５２５号公報）に開示されたウォッシャー液加熱装置では、ウォッシャー液ポンプによってウォッシャー液タンクからウォッシャー液ノズルに送られるウォッシャー液の流路中に、そのウォッシャー液を加熱するための加熱装置を設けるとともに、流路内の圧力が増加したときにその流路の容積を増加させるように調整する調整手段を設けるように構成している。
【０００３】
しかしながら、このようなウォッシャー液加熱装置は、加熱装置としてのシーズヒーターを流路内に埋め込む必要があり、この部分には圧力が加わるため、シーズヒーター取り付け部にはシーズヒーターの熱に耐えるとともに、防水性および水密性が要求される。
【０００４】
また、シーズヒーターには寿命があり、これを取り換えるときにはウォッシャー液流路の気密性の確保が必要になるという問題がある。
【０００５】
このような問題を解決すために、本出願人は先に電磁誘導を用いて加熱板を加熱する加熱装置を備えたウィンドウウォッシャー液加熱装置について出願を行った。
【先行技術文献】
【特許文献】
【０００６】
【特許文献１】特開２０１０？１８４５２５号公報
【発明の概要】
【発明が解決しようとする課題】
【０００７】
しかし、先に出願した電磁誘導を用いた加熱板によるウィンドウウォッシュー液加熱装置では、ウィンドウウォッシャーを使用している時、つまりウォッシャー液が流動している時以外は、加熱板周囲のウォッシャー液は停留したままとなっている。
【０００８】
そのため、加熱板周囲のウォッシャー液は加熱されるが、加熱容器内の端部にあるウォッシャー液はなかなか加熱が進まず、加熱容器内において温度むらが発生していた。
【０００９】
したがって、冬季に車のウィンドウが凍結し、前方の視界を確保したくても、出てくるウォッシャー液に温度むらが生じ、操作者の意思通りになかなか着氷を溶解できないという問題があった。
【００１０】
本発明は、上記の問題点を解消することを課題とするものであり、加熱板を回転可能な状態にし、加熱板を回転させることで、加熱容器内のウォッシャー液の温度むらをなくすことができるウィンドウウォッシャー液加熱装置を提供することを目的とするものである。
【課題を解決するための手段】
【００１１】
前記課題を解決するため、本発明の第１の態様によれば、ウィンドウウォッシャー液を通過させる、成形部材で作成された容器と、前記容器内に回転可能に配置された加熱板と、電磁誘導を用いて前記加熱板を加熱する加熱装置と、を備えたことを特徴とするウィンドウウォッシャー液加熱装置である。
【００１２】
また、本発明の第２の態様によれば、第１の態様にかかるウィンドウウォッシャー液加熱装置であって、前記加熱板は、回転軸となる突起部と、前記突起部を受ける軸受により、回転可能となっており、前記突起部は、前記加熱板もしくは前記容器の何れか一方に設けられ、他方に前記軸受が設けられていることを特徴とする。
【００１３】
また、本発明の第３の態様によれば、第１の態様にかかるウィンドウウォッシャー液加熱装置であって、前記加熱板の外周には、Ｎ極とＳ極が交互に磁化された磁極板が設けられていることを特徴とする。
【００１４】
また、本発明の第４の態様によれば、第３の態様にかかるウィンドウウォッシャー液加熱装置であって、前記加熱板は、前記加熱装置による電磁誘導によって発熱する導磁性の強い材料からなり、前記磁極板は、磁化された残留磁気の強い材料からなることを特徴とする。
【００１５】
また、本発明の第５の態様によれば、第３の態様にかかるウィンドウウォッシャー液加熱装置であって、交番の電磁気を発生させ、前記磁極板に電磁誘導による推力を与え、前記加熱板を回転させる回転制御装置を備えていることを特徴とする。
【００１６】
また、本発明の第６の態様によれば、第１の態様にかかるウィンドウウォッシャー液加熱装置であって、前記加熱板の側面には、撹拌促進手段が形成されていることを特徴とする。
【発明の効果】
【００１７】
本発明の第１の態様によれば、ウィンドウウォッシャー液を通過させる、成形部材で作成された容器と、この容器内に回転可能に配置された加熱板と、電磁誘導を用いてこの加熱板を加熱する加熱装置と、をウィンドウウォッシャー液加熱装置が備えているので、野外に駐車していて、寒い冬に車のウィンドウが霜等で凍っていた時、温かいウォッシャー液を吹きかけて霜等を解かすことができる。またウォッシャー液を加熱する加熱板が回転可能なので、加熱板を回転することによりウォッシャー液の温度むらをなくすことができる。
【００１８】
本発明の第２の態様によれば、加熱板を、回転軸となる突起部と、この突起部を受ける軸受とにより、簡単な構成で回転させることができる。
【００１９】
本発明の第３の態様によれば、加熱板の外周には、Ｎ極とＳ極が交互に磁化された磁極板を設けているので、磁気を利用して加熱板を回転させることができる。
【００２０】
本発明の第４の態様によれば、加熱板は、導磁性の強い材料からなり、磁極板は、残留磁気の強い材料からなるので、発熱し易く、また回転し易くなるので、ウォッシャー液の加熱をより効率的に行え、温度むらをより一層なくすことができる。
【００２１】
本発明の第５の態様によれば、回転制御装置により容易に加熱板の回転制御を行うことができるので、必要な時にだけ加熱板を回転させたりすることができる。
【００２２】
本発明の第６の態様によれば、加熱板の側面に、突起や穴等からなる撹拌促進手段が形成されているので、ウォッシャー液の撹拌が促進され、より一層温度むらをなくすことができる。
【図面の簡単な説明】
【００２３】
【図１】本発明の実施例に係るウォッシャー液加熱装置を概略的に示す説明図である。
【図２】図１の加熱容器１３０についてＡ−Ａ線で切断して内部を分解した状態を示す斜視図である。
【図３】本発明を構成する加熱容器と加熱板に関する他の実施例を示す説明図である。
【図４】図１の加熱容器１３０についてＢ−Ｂ線で切断した状態を示す斜視図である。
【図５】本発明を構成する回転制御装置の設置位置に関する他の実施例を示す説明図である。
【図６】本発明を構成する加熱板の他の実施例を示す説明図である。
【図７】本発明を構成する加熱板の他の実施例を示す説明図である。
【図８】本発明を構成する加熱板の他の実施例を示す説明図である。
【発明を実施するための形態】
【００２４】
以下、本発明の具体例を実施例及び図面を用いて詳細に説明する。但し、以下に示す実施形態は、本発明の技術的思想を具体化するためのウィンドウウォッシャー液加熱装置を例示するものであって、本発明をこのウィンドウウォッシャー液加熱装置に特定することを意図するものではなく、特許請求の範囲に含まれるその他の実施形態のウィンドウウォッシャー液加熱装置にも等しく適応し得るものである。
【実施例】
【００２５】
図１は、本発明の実施例に係るウォッシャー液加熱装置を概略的に示す説明図である。本発明の実施例に係るウォッシャー液加熱装置１０は自動車１１のフロントボンネット１２内に搭載されている。
【００２６】
ウォッシャー液加熱装置１０は、図１で示すように、ウォッシャー液を貯めておく貯蔵ボトル１１０と、貯蔵ボトル１１０の出口側に配されてウォッシャー液を加熱容器１３０に送るポンプ１２０と、ウォッシャー液をその中で加熱する加熱容器１３０と、電磁誘導を発生する加熱装置１４０と、加熱板１３２の回転を制御するための回転制御装置１４１と、加熱されたウォッシャー液をウィンドウに噴射させるための噴射ポンプ１５０と、自動車１１のフロントウィンドウガラス１３に対向して配されて加熱されたウォッシャー液を噴射する散布口１６０と、これら貯蔵ボトル１１０、ポンプ１２０、加熱容器１３０、噴射ポンプ１５０及び散布口１６０との間に接続して設けられたホース１７０、１７１と、から構成されている。なお、加熱装置１４０と回転制御装置１４１は加熱容器１３０の外部近傍に設置されている。
【００２７】
図２は、図１の加熱容器１３０についてＡ−Ａ線で切断して内部を分解した状態を示す斜視図である。図４は、図１の加熱容器１３０についてＢ−Ｂ線で切断した状態を示す斜視図である。加熱容器１３０は、保温率の高い部材からなるケース１３１と、このケース１３１に収納された加熱板１３２とを有する。
【００２８】
ケース１３１は、成形品でできたケース１３１ａとケース１３１ｂの２体からなり、上部にウォッシャー液の注入口１３３と排出口１３４とが形成されている。注入口１３３はウォッシャー液を貯めておく貯蔵ボトル１１０からくるホース１７０が挿入されてポンプ１２０と連通されている。排出口１３４は散布口１６０に繋がるホース１７１が挿入されて噴射ポンプ１５０と連通されている。この結果、ウォッシャー液はポンプ１２０の作動によって注入口１３３からケース１３１内を通過して排出口１３４へと流れる。一方、ポ
ンプ１２０が作動を停止するとウォッシャー液はケース１３１内に留まった状態になる。
【００２９】
ケース１３１の内部には、仕切り板１３５によって大きく２室に分かれており、注入口１３３から送り込まれたウォッシャー液を下部に送る流路室と、内部に加熱板１３２を有する加熱室とからなる。両方の室は仕切り板１３５の下部に設けられた流路用貫通孔１３６で繋がっている。仕切り板１３５及び流路用貫通孔１３６によって蛇行するウォッシャー液の流路を形成している。なお、ケース１３１の内部は必ずしも２室に分離されている必要はなく、加熱室だけの構造でもよい。
【００３０】
加熱板１３２は、円盤形状をしており、加熱板１３２の中心には回転の際の回転軸となる円柱状の突起部１３７が設けられている。この加熱板１３２の突起部１３７は、ケース１３１の内部に設けられた軸受凹部１３９に回転可能な状態で嵌め込まれている。この時、軸受凹部１３９は、ケース１３１の側面を貫通しないように形成されているので、加熱容器１３０の気密性は確保されている。
【００３１】
この加熱板１３２の外周には、Ｎ極とＳ極が交互に磁化された磁極板１３８が設けられている。磁極板１３８は、残留磁気の強い材料からなり、フェライト磁石やネオヂウム磁石等で形成されている。そして、加熱板１３２と磁極板１３８とは、強固に接着し一体化されている。なお、図２、図４では磁極板１３８は、加熱板１３２の外周に設けられているが、加熱板１３２の外周には、磁極板１３８が加熱板１３２の外周面にだけ配置されている場合や、磁極板１３８が加熱板１３２の外周近傍（外周から少し内側）に配置されている場合も含まれる。
【００３２】
そして、ケース１３１ａとケース１３１ｂとの間に加熱板１３２を挟んだ状態で回転可能な状態で保持した後、ケース１３１ａとケース１３１ｂとの接合部を超音波融着により一体化することで、加熱容器１３０が完成する。
【００３３】
なお、図３に示すように、加熱板１３２の中心に回転軸受となる円形の穴１３７´をあけ、ケース１３１の内部に回転軸となる突起１３９´を設ける構成としてもよい。
【００３４】
貯蔵ボトル１１０から送り込まれたウォッシャー液は注入口１３３から入り、加熱容器１３０の下方に設けられた貫通穴を通じて加熱室に送り込まれる。加熱室では加熱板１３２の周囲がウォッシャー液で満たされ、加熱板１３２の熱によりウォッシャー液は温められる。温められたウォッシャー液は、その後排水口１３４を通じて散布口１６０へ送り込まれる。
【００３５】
加熱板１３２は、鉄やステンレス等の導磁性の材料からなり、その近傍の加熱容器１３０の外部に設置されたウォッシャー液の加熱装置１４０からの電磁誘導によって渦電流を生じ、その作用で発熱する。加熱容器１３０の使用状態で加熱板１３２の周囲はウォッシャー液で満たされているため、発熱した加熱板１３２によりウォッシャー液は加熱される。加熱装置１４０は、渦電流を発生させる発生回路と、発生回路の動作を制御するためのマイクロコンピュータを内蔵した制御回路と、を有する。
【００３６】
加熱容器１３０の近傍には、加熱板１３２が回転するための推力を与えるために、交番の電磁気を発生させる回転制御装置１４１が設けられている。この回転制御装置１４１により発生される交番の電磁気は、加熱板１３２の外周に設けられた磁極板１３８に一定方向の推力を与える。この推力が、磁極板１３８と一体になっている加熱板１３２にも加わり、突起部１３２を回転軸とする回転力となり、加熱板１３２が回転する。なお、回転制御装置１４１により発生される電磁気により、加熱板１３２は一定方向に回転することになるが、この回転方向としては、加熱容器１３０の上部に形成された排出口１３４へウォ
ッシャー液が流れるように（図２では、加熱板１３２が左回転する向き）回転させるとよい。
【００３７】
この回転制御装置１４１の設置場所は、図１に示すように、加熱装置１４０と同じ加熱容器１３０の側面に設置してもよいし、図５のように磁極板１３８の外周面に沿って、磁極板１３８の外周近傍で加熱容器１３０（図５では図示せず）の側面に設置してもよい。
【００３８】
また、図２では円盤形状の加熱板１３２の側面には何も形成されていない平坦なものを示しているが、加熱板１３２は、図６に示すように側面に突起部２０１を設けたり、図７に示すように穴２０２を設けたり、図８に示すように突起部２０３と穴２０４を併用したりしてもよい。このように、加熱板１３２の側面に撹拌促進手段である突起部や穴を形成しておくことで、加熱板１３２の回転による容器内のウォッシャー液の撹拌が進み、加熱容器１３０内のウォッシャー液の温度の均一化がより高まる。
【００３９】
ユーザが自動車１１のエンジン動作をスタートさせてポンプ１２０を作動させると、貯蔵ボトル１１０から送り込まれたウォッシャー液は注入口１３３から加熱容器１３０に入り、ケース１３１内の流路室最下部に設けられた流路用貫通孔１３６を通じて加熱室に送り込まれる。ケース１３１内の加熱室では加熱板１３２の周囲がウォッシャー液で満たされているので、このウォッシャー液は加熱板１３２の熱で温められる。更に、加熱板１３２と一体化された磁極板１３８が回転制御装置１４１によって推力を与えられ、この推力により加熱板１３２の回転が開始される。加熱板１３２が回転することにより、加熱室内のウォッシャー液は撹拌されて液全体が一定温度に保たれる。その後、加熱されたウォッシャー液は排出口１３４を通じて散布口１６０に送り込まれ、噴射ポンプ１５０にてフロントウィンドウガラス１３に噴射される。
【００４０】
以上のように、ケース１３１内の加熱室を含む加熱容器１３０は一体成形、もしくは超音波融着などによって注入口と排出口を除いた部分が水密性の高いかたちで形成されているので、特に水密性を保持するための工夫を必要としないで、加熱容器１３０内のウォッシャー液を均一な温度に保つことができる。また、水密性の高い加熱容器１３０の中で、回転可能な加熱板１３２が回転することで、加熱容器１３０内のウォッシャー液の温度むらをなくすことができる。
【００４１】
また、ケース１３１内に設けられた加熱板１３２の発熱制御は、加熱容器１３０の外部に設けられたウォッシャー液の加熱装置１４０において行うと同時に、加熱板１３２の回転制御は、加熱容器１３０の外部に設けられた回転制御装置１４１において行うため、発熱制御と回転制御の電気系統と、ウォッシャー液が流れる水路系とを分離することができるため、ウィンドウウォッシャー液加熱装置１０の信頼性を向上させることができる。
【符号の説明】
【００４２】
１０・・・ウォッシャー液加熱装置
１１・・・自動車
１１０・・・貯蔵ボトル
１２０・・・ポンプ
１３０・・・加熱容器
１３１、１３１ａ、１３１ｂ・・・ケース
１３２・・・加熱板
１３３・・・注入口
１３４・・・排出口
１３７・・・突起部
１３８・・・磁極板
１３９・・・軸受凹部
１４０・・・加熱装置
１４１・・・回転制御装置
１５０・・・噴射ポンプ
１６０・・・散布口
【図１】
2013116657.tif 000003
【図２】
2013116657.tif 000004
【図３】
2013116657.tif 000005
【図４】
2013116657.tif 000006
【図５】
2013116657.tif 000007
【図６】
2013116657.tif 000008
【図７】
2013116657.tif 000009
【図８】
2013116657.tif 000010